【事件の表示】
　特願２００１−１７７９５１「情報振分装置およびその制御方法」拒絶査定不服審判事件〔平成１４年１２月２６日出願公開、特開２００２−３７４２７７〕について、次のとおり審決する。
【結　論】
　本件審判の請求は、成り立たない。
【理　由】
１．手続の経緯 
　本願は、平成１３年６月１３日の出願であって、平成１９年４月２７日付けで拒絶査定がなされ、これに対し、平成１９年６月１１日に拒絶査定に対する審判請求がなされるとともに、平成１９年７月１１日付けで手続補正がなされ、平成２１年５月７日付けで審尋がなされ、平成２１年７月７日付けで回答書が提出されたものである。
　
２．平成１９年７月１１日付けの手続補正についての補正却下の決定 
　
［補正却下の決定の結論］ 
　平成１９年７月１１日付けの手続補正を却下する。
　
［理由］ 
（１）補正後の本願発明 
　本件補正により、特許請求の範囲の請求項１は、
「少なくとも１つの通信線と接続する通信線接続口と；
　複数の端末接続口と；
　上記通信線接続口と上記端末接続口との間に通信経路を形成する通信経路形成手段と；
　上記端末接続口に接続された端末からの信号から該端末の属性を分析し、該分析した属性を記憶する属性記憶手段と；
　ネットワークを介した通信相手との間で信号を送受信し、上記通信相手との間で接続通信手順を実行し、上記通信相手が要求する端末属性を解析する通信内容解析手段と；
　上記通信内容解析手段が解析した端末属性と、上記属性記憶手段が記憶している記憶内容とに基づいて、上記複数の端末接続口に接続する複数の端末から端末を選択する選択手段と；
　上記選択手段が選択した端末に起動信号を送って該端末を起動し、上記通信相手に成り代わって上記選択手段が選択した端末との間で接続通信手順を実行し、上記選択手段が選択した端末が接続する上記端末接続口と、上記通信線接続口のうちの１つの通信線接続口とを接続し、上記通信相手と上記選択手段が選択した端末との通信を中継する接続制御手段と；
　を有することを特徴とする情報振分装置。」
と補正された。 
　
　上記補正は、補正前の特許請求の範囲の請求項１に記載された「ネットワークを介した通信相手と交信して上記通信相手との通信手順を実行し、上記通信相手が要求する端末属性を解析する通信内容解析手段」を「ネットワークを介した通信相手との間で信号を送受信し、上記通信相手との間で接続通信手順を実行し、上記通信相手が要求する端末属性を解析する通信内容解析手段」と限定し、「上記選択手段が選択した端末が接続する上記端末接続口と、上記通信線接続口のうちの１つの通信線接続口とを接続し、上記通信相手と上記選択手段が選択した端末との通信を中継する接続制御手段」を「上記選択手段が選択した端末に起動信号を送って該端末を起動し、上記通信相手に成り代わって上記選択手段が選択した端末との間で接続通信手順を実行し、上記選択手段が選択した端末が接続する上記端末接続口と、上記通信線接続口のうちの１つの通信線接続口とを接続し、上記通信相手と上記選択手段が選択した端末との通信を中継する接続制御手段」と限定するものであり、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。 
　
（２）引用例 
　原査定の拒絶の理由に引用された特開平１０−２３１８１号公報（以下、「引用例」という。）には、図面とともに以下の記載がある。 
　
　イ．「【０００１】
【発明の属する技術分野】本発明はＩＳＤＮ網に接続されたＩＳＤＮターミナルアダプタ装置に関し、特にＴＥＬ及びＦＡＸ等のアナログ端末が複数接続され、それらアナログ端末の種別を自動的に認識して呼を接続するようにしたＩＳＤＮターミナルアダプタ装置に関する。」　
　ロ．「【００３３】次に、図１及び図２を参照して、本発明の第１の実施の形態におけるＩＳＤＮターミナルアダプタ装置の動作について説明する。まず、図２を参照して、本実施の形態におけるＩＳＤＮターミナルアダプタ装置の通信ネットワークにおける動作について説明する。自動発信モードで起動しているＦＡＸ３０４からアナログ網３０２及びＩＳＤＮ網３０１を介してＩＳＤＮターミナルアダプタ装置３０８に対し着信呼があった場合、その着信呼の呼設定メッセージにはＨＬＣが付加されていないため、それは総体的にアナログの着信呼としか判断できない。そのため、ＩＳＤＮターミナルアダプタ装置３０８はその着信呼がＦＡＸからのものかＴＥＬからのものか識別することができないので、まず最高プライオリティ（他のものでもよい）のＦＡＸ３１２に着信させる。
【００３４】着信したＦＡＸ３１２は自動応答モードによる着信待機状態にしておく。そのため、ＦＡＸ３１２は、着信呼があるとそれに対し自動的に接続応答（自動応答）して接続状態となる。そして、発信元ＦＡＸ３０４はＦＡＸ３１２からの応答により非音声端末を示すトーナル信号ＣＮＧを送出する。ＩＳＤＮターミナルアダプタ装置３０８はそのトーナル信号ＣＮＧを監視し、トーナル信号ＣＮＧを検知したらＦＡＸ，検知しなかったらＴＥＬというように、その発信元を識別する。この例の場合、発信元がＦＡＸ３０４であり着信先もＦＡＸ３１２であるから送信を続行する。もし、発信元がＴＥＬ３０３の場合、ＩＳＤＮターミナルアダプタ装置３０８は最高プライオリティのＴＥＬ３０９に接続を切り換える。
【００３５】次に、図１を参照して、第１の実施の形態におけるＩＳＤＮターミナルアダプタ装置１００（図２のＩＳＤＮターミナルアダプタ装置３０５、３０８に対応する）の動作について説明する。まず、このＩＳＤＮターミナルアダプタ装置１００の各アナログポート１１２〜１１５に対しアナログ端末１１７〜１２０を接続するに当たり、制御情報設定部１０７を通して各アナログポート１１２〜１１５に接続されるアナログ端末１１７〜１２０のプライオリティ情報を事前に設定し制御情報記憶部１０６に記憶しておく（詳細は第３の実施の形態において説明する）。
【００３６】上記のようにＩＳＤＮターミナルアダプタ装置１００を設定し着信待機状態において、ＩＳＤＮ網１０１から、例えばＦＡＸ３０４（図２）から発信したアナログの着信呼があった場合、その着信呼はＩＳＤＮ網制御部１０２を通して通信制御部１０３に送られる。通信制御部１０３は、この着信呼がアナログの呼と認識して、それをアナログ端末制御部１０５に接続する。
【００３７】この時点では、まだ発信元がＦＡＸかＴＥＬかは不明なので、アナログ端末制御部１０５は、その着信呼を、制御情報設定部１０７を通して事前に設定し制御情報記憶部１０６に記憶されているプライオリティに基づき、そのプライオリティ順に、例えば、最高プライオリティのＦＡＸ１１７が接続されているアナログポート１１２に接続する。そこで、ＦＡＸ１１７は自動応答して発信元ＦＡＸ３０４と接続される。
【００３８】この状態において、トーナル信号監視部１１０は発信元ＦＡＸ３０４から送信されるトーナル信号ＣＮＧを監視し、検知したら発信元がＦＡＸであり、検知しなかったら発信元がＴＥＬであると判断する。この例の場合、発信元がＦＡＸ３０４であるから、トーナル信号ＣＮＧを送信し、トーナル信号監視部１１０がそれを検知する。そして、着信先もＦＡＸ３１２であるから送信を続行する。しかし、トーナル信号監視部１１０がトーナル信号ＣＮＧを検知しなかった場合、その情報をトーナル信号制御部１０９に通知する。その場合は発信元がＴＥＬであるから、アナログ端末制御部１０５はトーナル信号制御部１０９から通知された情報を元に、他のプライオリティの高いＴＥＬが接続されているアナログポートにその着信呼を接続する。
【００３９】次に、図１を参照して、本発明の第２の実施の形態におけるＩＳＤＮターミナルアダプタ装置の構成について説明する。本実施の形態においても、図１を参照して、上記第１の実施の形態について説明した構成と同様である。しかし、第１の実施の形態では、トーナル信号送信部１１１は使用せず、第２の実施の形態において使用することが異なるものであり、それら全ての構成は既に上記で説明したものと同様であるから再度の説明は省略する。
【００４０】次に、図１及び図２を参照して、第２の実施の形態におけるＩＳＤＮターミナルアダプタ装置１００（図２のＩＳＤＮターミナルアダプタ装置３０５、３０８に対応する）の動作について説明する。本実施の形態はＩＳＤＮターミナルアダプタ装置１００に対しアナログ端末を取付け接続する際に行われるアナログ端末の種別（ＴＥＬかＦＡＸ）の自動認識及び設定を特徴とするものである。
【００４１】まず、図２を参照して、第２の実施の形態におけるＩＳＤＮターミナルアダプタ装置３０８の通信ネットワークにおける動作の概要について説明する。今、例えば、ＩＳＤＮターミナルアダプタ装置３０８に対しＴＥＬ３０９、３１０、３１１とかＦＡＸ３１２のアナログ端末を取付け接続する場合について説明する。すなわち、ＩＳＤＮターミナルアダプタ装置３０８に対しアナログ端末３０９〜３１２を取付けると、ＩＳＤＮターミナルアダプタ装置３０８は自動的に各アナログ端末３０９〜３１２に対し自動発信モードで動作するＦＡＸが送出するようなトーナル信号ＣＮＧを擬似的に送出する。
【００４２】このトーナル信号ＣＮＧの応答として、ＩＳＤＮターミナルアダプタ装置３０８が各アナログ端末３０９〜３１２から非音声端末であることを示すトーナル信号ＣＥＤ（応答）を受信するとＦＡＸ，受信しなかっ場合はＴＥＬというように認識する。このとき、ＦＡＸは自動応答モードにしておかないと、受信したトーナル信号ＣＮＧに応答してトーナル信号ＣＥＤを送出しない。
【００４３】次に、図１を参照して、第２の実施の形態におけるＩＳＤＮターミナルアダプタ装置１００の動作について説明する。今、アナログポート１１２、１１３、１１４、１１５に対しアナログ端末１１７、１１８、１１９、１２０が取付けられ接続されたとすると、アナログ端末制御部１０５は自動的にそれを検知し、その情報をトーナル信号制御部１０９に通知する。ここで、アナログ端末制御部１０５は上記で説明したような発信元がＦＡＸかＴＥＬかを識別する以下で説明するようなアナログ端末接続手順をローカルで実行またはテストする、所謂アナログ端末接続手順のローカルテストを実行する。
【００４４】すなわち、トーナル信号送信部１１１は、トーナル信号制御部１０９の制御の下に、各アナログポート１１２〜１１５に対してトーナル信号ＣＮＧを擬似的に送出する。トーナル信号監視部１１０はそのトーナル信号ＣＮＧを受けた各アナログ端末１１７〜１２０のＦＡＸから応答として送出したトーナル信号ＣＥＤを監視し、トーナル信号ＣＥＤを検知したらＦＡＸ、検知しなかったらＴＥＬと認識する。上記の模擬的なトーナル信号の送出、及びそれによる接続端末のテストは、そのとき取り付けたアナログ端末についてのみ行ってもよいし、全アナログ端末を再度テストしてもよい。
【００４５】そのテスト結果はトーナル信号監視部１１０からトーナル信号制御部１０９及びアナログ端末制御部１０５を介して制御情報記憶部１０６に記憶させ、その後着信呼を接続する場合に使用する。このようにして、アナログ端末の種別を直接制御情報設定部１０７を通して設定することなく、また実際に端末間で送受信してテストすることなく、ＩＳＤＮターミナルアダプタ装置１００に接続されたアナログ端末がＦＡＸかＴＥＬかを識別して設定し記憶しておくことができる。」　
　
　引用例の図１を参照すると、ＩＳＤＮターミナルアダプタは、ＩＳＤＮ網に接続するポートと、複数のアナログポートを有するものである。
　引用例の【００３３】〜【００３８】には、第１の実施の形態として、ＩＳＤＮターミナルアダプタは、発信元アナログ端末からの着信呼を、アナログ網及びＩＳＤＮ網を介して受信したときは自動応答モードのアナログ端末に着信させ、当該アナログ端末からの応答信号を発信元アナログ端末へ送信し、発信元アナログ端末からのトーナル信号を監視することにより、発信元アナログ端末の種別を識別することが開示されている。
　引用例の【００３９】〜【００４５】には、第２の実施の形態として、ＩＳＤＮターミナルアダプタに接続されたアナログ端末の種別を自動認識することが開示されており、引用例のＩＳＤＮターミナルアダプタは、アナログポートに接続されたアナログ端末にトーナル信号を送出し、その応答信号から、アナログ端末の種別を認識し、認識した種別を記憶する制御情報記憶部を有するものであるといえる。
　引用例の第２の実施の形態は、第１の実施の形態を前提としており、両者が組み合わされることは当然であるから、発信元アナログ端末の種別と、制御情報記憶部が記憶している記憶内容に基づいて、複数のアナログポートに接続する複数のアナログ端末からアナログ端末を選択するものであるといえる。
　そして、接続するアナログ端末が選択されると、発信元のアナログ端末と選択されアナログ端末は通信を行うわけであるから、引用例のＩＳＤＮターミナルアダプタは、上記選択手段が選択したアナログ端末が接続する上記アナログポートと、上記ＩＳＤＮ網接続ポートとを接続し、上記通信相手と上記選択手段が選択した端末との通信を中継する接続制御手段を有するものであるといえる。
　
　したがって、引用例には、 技術常識を考慮すると、
「ＩＳＤＮ網に接続するポートと、
　複数のアナログポートと、
　上記ＩＳＤＮ網に接続するポートと上記アナログポートの１つとの間で通信を行うアナログ端末制御部と、
　上記アナログポートに接続されたアナログ端末からのトーナル信号に対する応答信号から、アナログ端末の種別を認識し、認識した種別を記憶する制御情報記憶部と、
　発信元アナログ端末からの着信呼を、アナログ網及びＩＳＤＮ網を介して受信したときは自動応答モードのアナログ端末に着信させ、当該アナログ端末からの応答信号を発信元アナログ端末へ送信し、発信元アナログ端末からのトーナル信号を監視することにより、発信元アナログ端末の種別を識別する識別手段と、
　上記識別手段が識別した発信元アナログ端末の種別と、上記制御情報記憶部が記憶している記憶内容に基づいて、上記複数のアナログポートに接続する複数のアナログ端末からアナログ端末を選択する選択手段と、
　上記選択手段が選択したアナログ端末が接続する上記アナログポートと、上記ＩＳＤＮ網に接続するポートとを接続し、上記通信相手と上記選択手段が選択した端末との通信を中継する接続制御手段と、
　を有するＩＳＤＮターミナルアダプタ。」
との発明（以下、「引用例発明」という。）が開示されていると認めることができる。
　
（３）対比 
　本願補正発明と引用例発明を対比する。
　引用例発明の「ＩＳＤＮ網に接続するポート」は、少なくとも１つの通信線と接続するものであるから、本願補正発明の「少なくとも１つの通信線と接続する通信線接続口」に相当する。
　引用例発明の「アナログポート」「アナログ端末」「アナログ端末の種別」「認識」「ＩＳＤＮターミナルアダプタ」は、本願補正発明の「端末接続口」「端末」「端末の属性」「分析」「情報振分装置」にそれぞれ相当する。
　引用例発明の「アナログ端末制御部」は、ＩＳＤＮ網に接続するポートと複数のアナログポートの１つとの間の通信を行うものであり、通信を行うためには通信経路を形成することが必要なことは当然であるから、本願補正発明の「上記通信線接続口と上記端末接続口との間に通信経路を形成する通信経路形成手段」に相当するものといえる。
　引用例発明の「アナログ端末のトーナル信号に対する応答信号」は、本願補正発明の「端末からの信号」の一種であるので、引用例発明の「制御情報記憶部」は、本願補正発明の「属性記憶手段」に相当する。
　本願補正発明の「通信相手」は、通信相手の端末のことであるから、引用例発明の「発信元アナログ端末」は、本願補正発明の「通信相手」に相当する。
　また、引用例発明の「発信元アナログ端末の種別を識別する識別手段」と本願補正発明の「通信相手が要求する端末属性を解析する通信内容解析手段」とを対比すると、「通信相手が要求する端末属性」とは、通信相手の端末属性と同じ端末属性であることから、両者に差異はないといえる。
　
　したがって、両者は、
「少なくとも１つの通信線と接続する通信線接続口と；
　複数の端末接続口と；
　上記通信線接続口と上記端末接続口との間に通信経路を形成する通信経路形成手段と；
　上記端末接続口に接続された端末からの信号から該端末の属性を分析し、該分析した属性を記憶する属性記憶手段と；
　上記通信相手が要求する端末属性を解析する通信内容解析手段と；
　上記通信内容解析手段が解析した端末属性と、上記属性記憶手段が記憶している記憶内容とに基づいて、上記複数の端末接続口に接続する複数の端末から端末を選択する選択手段と；
　上記選択手段が選択した端末が接続する上記端末接続口と、上記通信線接続口のうちの１つの通信線接続口とを接続し、上記通信相手と上記選択手段が選択した端末との通信を中継する接続制御手段と；
　を有する情報振分装置。」
である点で一致し、以下の点で相違している。
　
［相違点１］
　通信内容解析手段について、本願補正発明は、ネットワークを介した通信相手との間で信号を送受信し、上記通信相手との間で接続通信手順を実行することにより、端末属性を解析するのに対して、引用例発明は、発信元アナログ端末からの着信呼を、アナログ網及びＩＳＤＮ網を介して受信したときは自動応答モードのアナログ端末に着信させ、当該アナログ端末からの応答信号を発信元アナログ端末へ送信し、発信元アナログ端末からのトーナル信号を監視することにより、端末属性を解析するものである点。
　
［相違点２］
　接続制御手段について、本願補正発明は、「上記選択手段が選択した端末に起動信号を送って該端末を起動し、上記通信相手に成り代わって上記選択手段が選択した端末との間で接続通信手順を実行」するのに対して、引用例発明は、具体的手順が明らかではない点。
　
（４）判断
　上記相違点について検討する。
　ＩＳＤＮ網に接続されるＩＳＤＮターミナルアダプタは、通信相手からの呼を受信すると応答を送信すると共に、ＩＳＤＮターミナルアダプタに接続された端末を起動して、端末との間で通信手順を実行するものであることは、例えば、特開２０００−１３８７６６号公報、特開平１０−２５７１９６号公報に示されるように、当業者の技術常識である。
　引用例発明のＩＳＤＮターミナルアダプタは、通信相手からの呼を受信すると、自動応答モードの端末に着信させているが、これは、通信相手へ返す応答信号の生成にあたり、端末の自動応答機能を利用しているためであり、これに代えて、ＩＳＤＮターミナルアダプタ自体に自動応答機能を設け、これを利用して応答信号を生成するようにしても良いことは当業者に自明のことである。そのような構成を採用したときには、上記技術常識を考慮すれば、ＩＳＤＮターミナルアダプタは、ネットワークを介した通信相手との間で信号を送受信し、上記通信相手との間で接続通信手順を実行することにより、端末属性を解析することになるので、引用例発明において、相違点１の構成とすることは容易なことである。
　そして、そのＩＳＤＮターミナルアダプタは、ＩＳＤＮターミナルアダプタに接続された端末に起動信号を送って該端末を起動し、通信相手に成り代わって端末との間で接続通信手順を実行するものであるといえるので、引用例発明において、相違点２の構成とすることも容易なことである。
　　
　そして、本願補正発明の作用効果も、引用例発明から当業者が予測できる範囲のものである。 
　したがって、本願補正発明は、引用例発明に基いて、当業者が容易に発明をすることができたものであるから、特許法第２９条第２項の規定により特許出願の際独立して特許を受けることができないものである。 
　
（５）むすび 
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　
３．本願発明について
　平成１９年７月１１日付けの手続補正は上記のとおり却下されたので、本願の請求項１に係る発明（以下、「本願発明」という。）は、平成１８年１０月１７日付けの手続補正書の特許請求の範囲の請求項１に記載された事項により特定される、以下のとおりのものである。
「少なくとも１つの通信線と接続する通信線接続口と；
　複数の端末接続口と；
　上記通信線接続口と上記端末接続口との間に通信経路を形成する通信経路形成手段と；
　上記端末接続口に接続された端末からの信号から該端末の属性を分析し、該分析した属性を記憶する属性記憶手段と；
　ネットワークを介した通信相手と交信して上記通信相手との通信手順を実行し、上記通信相手が要求する端末属性を解析する通信内容解析手段と；
　上記通信内容解析手段が解析した端末属性と、上記属性記憶手段が記憶している記憶内容とに基づいて、上記複数の端末接続口に接続する複数の端末から端末を選択する選択手段と；
　上記選択手段が選択した端末が接続する上記端末接続口と、上記通信線接続口のうちの１つの通信線接続口とを接続し、上記通信相手と上記選択手段が選択した端末との通信を中継する接続制御手段と；
　を有することを特徴とする情報振分装置。」 
　
（１）引用例 
　原査定の拒絶の理由に引用された引用例、及びその記載事項は、前記「２．（２）」に記載したとおりである。 
　
（２）対比・判断 
　本願発明は、前記「２．（１）」で検討した本願補正発明において付加された限定を省いたものである。
　そうすると、本願発明の構成要件を全て含み、さらに他の構成要件を付加したものに相当する本願補正発明が、前記「２．（４）」に記載したとおり、引用例発明に基づいて当業者が容易に発明をすることができたものであるから、本願発明も同様の理由により、引用例発明に基づいて、当業者が容易に発明をすることができたものである。
　 
（３）むすび 
　以上のとおり、本願発明は、引用例発明に基づいて、当業者が容易に発明をすることができたものであるから、特許法第２９条第２項の規定により特許を受けることができない。